(57)【要約】【課題】  ロール紙をその巻方向を考えることなく投入できるとともに、紙質の弱いロール紙でちぎれることなくスムーズに引き出すことができること。【解決手段】  トイレット用ロール紙ホルダーのホルダー部２を前方にそれぞれ傾斜させ、かつその間に所定幅の隙間を残して配設した左右一対の傾斜底板部６Ａ、６Ｂと、該底板部それぞれに互いに前後方向に所定の間隔を置き、かつ上半部を半円状に上方へ突出させた態様で並設した、ロール紙を下方から回動自在に支持するための複数本の受けローラー７Ａ、７Ａ′、７Ａ″、７Ｂ、７Ｂ′、７Ｂ″と、前記ケースの前壁内壁面側であって、前記左右一対の傾斜底板部にそれぞれ対応する部位に設けた、ロール紙を前方から回動自在に支持するための左右一対の受けローラー８Ａ、８Ｂとで構成する。【選択図】図５
0003110614.tif 000002
【実用新案登録請求の範囲】
【請求項１】
底部にトイレット用ロール紙をセットするホルダー部を、その上方部位に予備のトイレット用ロール紙を１個又は複数個収容し得る空間及び該ロール紙を受け支える往復回動可能な受け支え手段を、前記ホルダー部の前面に該ホルダー部にセットされたロール紙を外部に繰り出すための繰り出し開口部をそれぞれ備えた横断面四角形の縦長のケースを具備し、前記受け支え手段を外部から操作手段を介して上方に回動させることにより、該受け支え手段に受け支えられている予備のロール紙を落下させ、前記ホルダー部にセットし得るように構成したトイレット用ロール紙ホルダーにおいて、前記ホルダー部を、前方にそれぞれ傾斜させ、かつその間に所定幅の隙間を残して配設した左右一対の傾斜底板部と、該底板部それぞれに互いに前後方向に所定の間隔を置き、かつ上半部を半円状に上方へ突出させた態様で並設した、ロール紙を下方から回動自在に支持するための複数本の受けローラーと、前記ケースの前壁内壁面側であって、前記左右一対の傾斜底板部にそれぞれ対応する部位に設けた、ロール紙を前方から回動自在に支持するための左右一対の受けローラーとで構成したことを特徴とするトイレット用ロール紙ホルダー。
【請求項２】
前記左右一対の傾斜底板部は、波頭状に若干隆起し、かつ左右方向に延在する先端部をそれぞれ有するとともに、各先端部はその背後に紙の消費によって大幅に小径化したロール紙を受け支え得るようにした左右方向に延在する凹所をそれぞれ備えていることを特徴とする請求項１に記載のトイレット用ロール紙ホルダー。
【請求項３】
請求項２に記載のトイレット用ロール紙ホルダーにおいて、前記繰り出し開口部は、前記ケースの下部前面においてその両側壁間に開口する開口部を開閉できるよう該両側壁に水平軸線周りに揺動可能に枢支された揺動板の下端部両側にそれぞれ内方に向けて突設された左右一対の支持片間に回動自在に軸支したガイドローラーと前記傾斜底板部の各先端隆起部との間に前記揺動板が閉位置にセットされたときに形成される隙間として構成され、ロール紙を該隙間を通して繰り出す際にその繰り出し操作が該ガイドローラーの回転によって容易となるようにしたことを特徴とするトイレット用ロール紙ホルダー。
【考案の詳細な説明】
【技術分野】
【０００１】
本考案は、予備のトイレット用ロール紙、すなわちロール状に巻かれたトイレットペーパーを一個又は複数個収納し得るストック機能を備えたトイレット用ロール紙ホルダーに関する。
【背景技術】
【０００２】
高速道路のサービスエリアや日常的に多数の人の出入りする各種施設等の公共用トイレ等においては、トイレット用ロール紙を頻繁に補給する必要があるため、底部にトイレット用ロール紙をセットするホルダー部を、その上方部位に予備のトイレット用ロール紙を１個又は複数個収容し得る空間及び該ロール紙を受け支える往復回動可能な受け支え手段を、前記ホルダー部の前面に該ホルダー部にセットされたロール紙を外部に繰り出すための繰り出し開口部をそれぞれ備えた横断面四角形の縦長のケースを具備し、ホルダー部にセットされたロール紙が使い尽くされたときに、前記受け支え手段を外部から操作手段を介して上方に回動させることにより、該受け支え手段に受け支えられている予備のロール紙を落下させ、前記ホルダー部にセットし得るように構成したトイレット用ロール紙ホルダーが使用されている。この種のものとしては、例えば、下記の文献等に開示されている。
【特許文献１】実開平６−８６６９１号公報
【考案の開示】
【考案が解決しようとする課題】
【０００３】
しかし乍ら、この種の従来公知のトイレット用ロール紙ホルダーにあっては、
中央に芯となる紙管がないロール紙を使用できなかったり、ロール紙の挿入方向を誤ると付属するカッターによる紙切りが難しかったり、ホルダー部の表面と摺接ないし転動接触するロール紙に働く接触摩擦抵抗により紙がスムーズに引き出せず、紙質の弱いものでは引っ張り出している途中で紙が切れたりする場合があったり、ロール紙の端を見つけ難いといった問題点があった。
【０００４】
本考案は、従来例の有する上記の如き問題点に鑑みてなされたものであって、トイレット用ロール紙を紙管の有無に関係なく使用することができるのはもちろんのこと、ロール紙の巻方向を考えることなく投入できることとともに、紙質の弱いロール紙でも破れることなくスムーズに引き出すことができ、しかもロール紙の端を見つけ易くしたトイレット用ロール紙ホルダーを提供することをその主たる目的とするものである。
【課題を解決するための手段】
【０００５】
上記目的を達成するために、本考案に係るトイレット用ロール紙ホルダーは、底部にトイレット用ロール紙をセットするホルダー部を、その上方部位に予備のトイレット用ロール紙を１個又は複数個収容し得る空間及び該ロール紙を受け支える往復回動可能な受け支え手段を、前記ホルダー部の前面に該ホルダー部にセットされたロール紙を外部に繰り出すための繰り出し開口部をそれぞれ備えた横断面四角形の縦長のケースを具備し、前記受け支え手段を外部から操作手段を介して上方に回動させることにより、該受け支え手段に受け支えられている予備のロール紙を落下させ、前記ホルダー部にセットし得るように構成したトイレット用ロール紙ホルダーにおいて、前記ホルダー部を、前方にそれぞれ傾斜させ、かつその間に所定幅の隙間を残して配設した左右一対の傾斜底板部と、該底板部それぞれに互いに前後方向に所定の間隔を置き、かつ上半部を半円状に上方へ突出させた態様で並設した、ロール紙を下方から回動自在に支持するための複数本の受けローラーと、前記ケースの前壁内壁面側であって、前記左右一対の傾斜底板部にそれぞれ対応する部位に設けた、ロール紙を前方から回動自在に支持するための左右一対の受けローラーとで構成したことを特徴とするものである。
【０００６】
また、本考案に係るトイレット用ロール紙ホルダーは、上記のものにおいて、前記左右一対の傾斜底板部は、波頭状に若干隆起し、かつ左右方向に延在する先端部をそれぞれ有するとともに、各先端部はその背後に紙の消費によって大幅に小径化したロール紙を受け支え得るようにした左右方向に延在する凹所をそれぞれ備えていることを特徴とするものである。
【０００７】
さらにまた、本考案に係るトイレット用ロール紙ホルダーは、請求項２に記載のものにおいて、前記繰り出し開口部は、前記ケースの下部前面においてその両側壁間に開口する開口部を開閉できるよう該両側壁に水平軸線周りに揺動可能に枢支された揺動板の下端部両側にそれぞれ内方に向けて突設された左右一対の支持片間に回動自在に軸支したガイドローラーと前記傾斜底板部の各先端隆起部との間に前記揺動板が閉位置にセットされたときに形成される隙間として構成され、ロール紙を該隙間を通して繰り出す際にその繰り出し操作が該ガイドローラーの回転によって容易となるようにしたことを特徴とするものである。
【考案の効果】
【０００８】
本考案によれば、トイレット用ロール紙を紙管の有無に関係なく使用することができるのはもちろんのこと、ロール紙の巻方向を考えることなく投入できることとともに、紙質の弱いロール紙でも破れることなくスムーズに引き出すことができる、しかもロール紙の端を見つけ易くしたトイレット用ロール紙ホルダーを得ることができる。
【考案を実施するための最良の形態】
【０００９】
以下、本考案の実施形態につき、その実施例を中心として詳細に説明する。
【実施例】
【００１０】
図面において、１は本考案に係るトイレット用ロール紙ホルダーの本体を構成する横断面四角形の縦長のケースで、その底部にロール状に巻かれたトイレットペーパーであるトイレット用ロール紙をセットするホルダー部２を有し、該ホルダー部２の前面には該ホルダー部にセットされたロール紙Ｐを外部に繰り出すための繰り出し開口部３を備えている。
【００１１】
また、前記ケース１の内部には、ホルダー部２の上方に予備のトイレット用ロール紙（図示していない）を１個収納し得る空内及び該ロール紙を受け支える往復回動可能な受け支え手段（図示していない）を具備し、該受け支え手段をそれに作動連結されている操作手段であるつまみ４を介して上方に回動させることにより、該受け支え手段に受け支えられている予備のロール紙を落下させ、前記ホルダー部２にセットし得るようになっている。
【００１２】
前記ホルダー部２は、前方にそれぞれの間に所定幅の隙間５を残して配設した左右一対の傾斜底板部６Ａ、６Ｂと、該底板部それぞれに互いに前後方向に所定の間隔を置き、かつ上半部を半円状に上方へ突出させた態様で並設した、ロール紙Ｐを下方から回動自在に支持するための長さの短い複数本の受けローラー７Ａ、７Ａ´７Ａ"、７Ｂ、７Ｂ´７Ｂ"と、前記ケースの前壁内壁面側であって、前記左右一対の傾斜底板部に６Ａ、６Ｂそれぞれ対応する部位に設けた、ロール紙を前方から回動自在に支持するための左右一対の受けローラー８Ａ、８Ｂとで構成されている。
【００１３】
前記左右一対の傾斜底板部６Ａ、６Ｂは、波頭状に若干隆起し、かつ左右方向に延在する先端部６Ａ´、６Ｂ´をそれぞれ有するとともに、各先端部はその背後に紙の消費によって大幅に小径化したロール紙を受け支え得るようにした左右方向に延在する凹所９をそれぞれ備えている
【００１４】
前記繰り出し開口部３は、前記ケースの本体１Ａの下部前面においてその両側壁１０、１１間に開口する開口部１２を開閉できるよう該両側壁に水平軸線周りに揺動可能に枢支された揺動板１３の下端部両側にそれぞれ内方に向けて突設された左右一対の支持片１４Ａ、１４Ｂ間に回動自在に軸支したガイドローラー１５と前記傾斜底板部の各先端隆起部６Ａ´、６Ｂ´との間に前記揺動板が閉位置にセットされたときに形成される隙間として構成され、ロール紙Ｐを該隙間３を通して繰り出す際にその繰り出し操作が該ガイドローラー１５の回転によって容易となるようにされている。
【００１５】
図示の例にあっては、各傾斜底板部６Ａ、６Ｂには各３本の受けローラー７Ａ、７Ａ´７Ａ"及び７Ｂ、７Ｂ´７Ｂ"がそれぞれ配設されている。各受けローラーは、ロール紙Ｐを繰り出す際に回転が円滑かつ軽快に行われるようにするため短くて重量の軽い中空円筒体として形成されている。前記一対の受けローラー８Ａ、８Ｂもそれらと同様の目的を達成するため、短く重量の軽い中空円筒体として形成されている。ガイドローラー１５はロール紙Ｐを繰り出す際にそのガイドの役を果たさせるため、前記受けローラーと異なり、長く作られている。
符号１６、１７は開口部１２上部のケース本体１Ａの前壁内側から垂下突設された一対の取付板で、前記一対の受けローラー８Ａ、８Ｂはこの取付板１６、１７の内側下端部にそれぞれ取り付けられている。
【００１６】
図５は、ロール紙Ｐを繰り出すためにその端を引っ張ると、右側面からみて該ロール紙が時計方向に回転するように該ロール紙をホルダー部２にセットした状態、図６は、これとは反対にロール紙Ｐが反時計方向に回転するように該ロール紙をホルダー部２にセットした状態を示している。図７はロール紙Ｐの使用によりその外径がかなり小さくなっても依然として受けローラー７Ａ、７Ａ´７Ａ"７Ｂ、７Ｂ´７Ｂ"及び８Ａ、８Ｂによって回転自在に受け支えられている状態を示している。そして、図８はロール紙Ｐが非常に小さくなってそれら受けローラーから離脱して前記した凹部９に受け支えられている状態を示している。、図９は、この図８に示す状態において揺動板１３を開いた状態を示している。そして揺動板１３を開いても、小型化したロール紙が外に飛び出すことなく凹部９に
受け支えられている様子を示している。
【００１７】
１８は、予備のロール紙を投入する本体１Ａの上端開口部を開閉する蓋体１Ｂを閉鎖位置にロックして、投入された予備のロール紙の盗難を防止するためのロック装置である。予備のロール紙を投入する際には、そのロール紙の巻方向を全く考慮する必要はない。また、予備のロール紙を複数個投入して使用し得るようにするためには、ケース１の高さを高くして、その収容空間を大きくするだけでよい。１９は、前記揺動板の下端部に突設したカッターである。
なお、ホルダー部２にセットしたロール紙の端は、前記揺動板を開くことによって容易に見つけることができる。その際、左右一対の傾斜底板部間の隙間に手を入れてロール紙を回転させてやるとよい。
【産業上の利用可能性】
【００１８】
本考案に係るトイレット用ロール紙ホルダーは上述の如く構成されたいるので、ロール紙を紙管の有無に関係なく使用することができるのはもちろんのこと、ロール紙の巻方向を考えることなく投入できるとともに、紙質の弱いロール紙でもちぎれることなくスムーズに引き出すことができ、しかもロール紙の端を見つけ易いという実益を発揮することができる。そして、前述した如く、ケースの高さを高くすれば、３個以上の予備のロール紙をストックして使用することも可能となる。
【図面の簡単な説明】
【００１９】
【図１】本考案の一実施例としてのトイレット用ロール紙ホルダーの全体斜視図である。
【図２】図１に示したホルダーの正面図である。
【図３】上記ホルダーの要部の斜視図である。
【図４】上記ホルダー要部の右側壁を取り除いてロール紙をホルダー部にセットした状態を示す斜視図である。
【図５】ロール紙をホルダー部にセットした状態を示すホルダーの要部の縦断右側面図である。
【図６】図５と同様の右側面図である。
【図７】ロール紙が使用により小さくなった状態を示す図５及び６と同様の右側面図である。
【図８】ロール紙が使用により非常に小さくなって、凹所に受け支えられている状態を示す図５〜７と同様の右側面図である。
【図９】図８に示した状態で揺動板を開いた状態を示す図８と同様の右側面図である。
【符号の説明】
【００２０】
１        トイレット用ロール紙ホルダーのケース
２        ホルダー部
３        繰り出し開口部
４        つまみ
６Ａ、６Ｂ    傾斜底板部
７Ａ、７Ａ′、７Ａ″    受けローラー
７Ｂ、７Ｂ′、７Ｂ″    受けローラー
１３      揺動板
１５      ガイドローラー
Ｐ        トイレット用ロール紙
【図１】
0003110614.tif 000003
【図２】
0003110614.tif 000004
【図３】
0003110614.tif 000005
【図４】
0003110614.tif 000006
【図５】
0003110614.tif 000007
【図６】
0003110614.tif 000008
【図７】
0003110614.tif 000009
【図８】
0003110614.tif 000010
【図９】
0003110614.tif 000011
【手続補正書】
【提出日】平成17年3月9日(2005.3.9)
【手続補正１】
【補正対象書類名】図面
【補正対象項目名】図２
【補正方法】変更
【補正の内容】
【図２】
0003110614.tif 000012